(57)【要約】【課題】ドラム缶を長期に亘って安定的に固定することができ、また、既に保管されているドラム缶についても積み直すことなく固定することができ、軽いドラム缶固定用治具を提供する。また、地震等によってドラム缶が転倒、落下したり、段積みされるドラム缶が倒壊することを簡単かつ確実に防止することができるドラム缶固定方法を提供する【解決手段】一端がパレットに着脱自在に取り付けられる金属製の長尺状の治具本体と、治具本体の他端に取り付けられ、ドラム缶の上面に一点で接触してドラム缶をパレットに押圧する押圧体とを備え、さらに、治具本体が押圧体をパレットの方向に牽引することにより、押圧体の押圧力を発生させる押圧手段を備えているドラム缶固定用治具。治具本体の一端を最上段または最下段のパレットに取り付け、押圧体を、段積みされたドラム缶のうち最上段のドラム缶の上面に接触させて押圧するドラム缶固定方法。【選択図】図１
2010276577.tif 000002
【特許請求の範囲】
【請求項１】
パレット上に載置される放射性廃棄物保管用のドラム缶を固定するドラム缶固定用治具であって、
一端が前記パレットに着脱自在に取り付けられる長尺状の治具本体と、
前記治具本体の他端に取り付けられて、前記ドラム缶の上面に一点で接触して前記ドラム缶を前記パレットに押圧する押圧体とを備え、
さらに、前記治具本体が前記押圧体を前記パレットの方向に牽引することにより、前記押圧体の押圧力を発生させる押圧手段を備えていることを特徴とするドラム缶固定用治具。
【請求項２】
前記押圧手段は、
前記治具本体の前記他端に設けられる雄ねじ部と、
前記押圧体に形成される貫通孔と、
前記貫通孔に挿通されて、前記貫通孔から突出する前記雄ねじ部に螺合されるナットとを備えていることを特徴とする請求項１に記載のドラム缶固定用治具。
【請求項３】
請求項１または請求項２に記載のドラム缶固定用治具を用いてパレット上に載置される放射性廃棄物保管用のドラム缶を固定するドラム缶固定方法であって、
前記治具本体の一端を前記パレットに取り付け、
前記治具本体の他端に取り付けられた押圧体を前記ドラム缶の上面に一点で接触させた後、前記パレットの方向に牽引して前記ドラム缶を前記パレットに固定することを特徴とするドラム缶固定方法。
【請求項４】
前記パレットと、その上に載置された前記ドラム缶を段積みし、最上段の前記ドラム缶を最上段のドラム缶が載置された前記パレットに固定することを特徴とする請求項３に記載のドラム缶固定方法。
【請求項５】
前記パレットと、その上に載置された前記ドラム缶を段積みし、前記ドラム缶固定用治具の前記治具本体の一端を最下段の前記パレットに取り付け、前記押圧体を最上段に位置する前記ドラム缶の上面の一点に接触させて押圧することを特徴とする請求項３に記載のドラム缶固定方法。
【発明の詳細な説明】
【技術分野】
【０００１】
本発明は、一段又は複数段積み重ねられる放射性廃棄物の入ったドラム缶を固定することにより、大地震時にドラム缶が転倒、落下することを防止することができるドラム缶固定用治具、及びドラム缶固定方法に関する。
【背景技術】
【０００２】
原子力施設の放射線管理区域内で発生した廃棄物は、放射能汚染の拡大を防ぐため、ドラム缶等に収納して密封された状態で保管される（例えば特許文献１）。また、放射性廃棄物は、その一部を除いて、事業所外への搬出が禁じられているため、所内の専用の倉庫に保管されている。
【０００３】
放射性廃棄物を入れたドラム缶を倉庫に保管する方法としては、１枚のパレットにドラム缶を４本載せたものを、保管効率を上げる目的で複数段積み重ねるのが一般的であるが、地震が発生した場合、上段に位置するドラム缶は揺れによって転倒し、落下する可能性がある。具体的には、２００７年の新潟県中越沖地震では、ドラム缶が複数段積み重ねられた段積みが倒壊して、中に収納されていた放射性廃棄物の一部がドラム缶外に漏出する事象が発生している。ドラム缶に収納された放射性廃棄物が漏出した場合、放射能汚染が広がることから、社会的にも放射性廃棄物の保管の耐震性の向上が望まれている。
【０００４】
現在行われているドラム缶の転倒、落下を防止する方法としては、ラッシングベルト等をドラム缶の周囲に巻いて固縛する方法、ドラム缶の上にパレットを載せてワイヤー等で固縛する方法、ドラム缶を箱や枠が取付けられたパレットに収納する方法等が挙げられる。しかし、これらの方法には以下のような問題がある。
【０００５】
ラッシングベルト等をドラム缶の周囲に巻いて固縛する方法の場合、地震等によりドラム缶が少し移動するとラッシングベルトが緩んで、固縛の効果が著しく低下するという問題がある。また、ラッシングベルトに張力をかけた状態が長期に亘るとベルトが徐々に伸びていくため、定期的な増し締めが必要であり、継続的な維持管理を必要とするという問題がある。また、放射性廃棄物は数十年に亘って保管されることから、火災時にも機能が損なわれないものが望ましいが、ラッシングベルトは火災時の高温には耐えられないという問題がある。
【０００６】
次に、ドラム缶上にパレットを載せてワイヤー等で固縛する方法の場合、パレットの重量が４０ｋｇ程度であるため、人力でドラム缶の上部に運ぶのは困難である。また、ワイヤーは横方向に複数のドラム缶を束ねるように掛けるが、多数のドラム缶が保管されている状態では、作業者が奥のパレットまで掛けに行くことが困難であり、特に２段以上、複数段積み重ねられている場合、下の段にワイヤーを掛けることは難しい。そして、例えば数十個のパレットに保管されているドラム缶からなるブロック毎にワイヤーをかける場合には、ワイヤーが長くなるため伸びが大きくなり、ドラム缶が転倒あるいは落下する隙間を生じる可能性がある。また、ワイヤーにかかる力も大きいため、作業性の著しく悪い太いワイヤーの使用や、ワイヤーを掛ける場所の補強等が必要となる。
【０００７】
次に、ドラム缶を箱や枠が取付けられたパレットに収納して保管する方法の場合、放射性廃棄物を入れたドラム缶の重量（重いもので４００ｋｇ程度）に耐えられる箱や枠付きのパレットは市販されていないため、特別に作製する必要がある。また、箱や枠を取付けることによりパレットの寸法が大きくなるため、保管効率が低下するという問題がある。
さらに、既に保管されているドラム缶の場合、パレットを交換するためには保管されているドラム缶を積み直さなければならず、実施が困難である。
【先行技術文献】
【特許文献】
【０００８】
【特許文献１】特開平７−１９８８９５号公報
【発明の概要】
【発明が解決しようとする課題】
【０００９】
本発明は、上記の問題に鑑み、ドラム缶を長期に亘って安定的に固定することができ、また、既に保管されているドラム缶についても積み直すことなく固定することができ、しかも、人手で運べる程度に軽量化したドラム缶固定用治具、およびこのドラム缶用固定用治具を用いて地震等によってドラム缶が転倒、落下したり、段積みされるドラム缶が倒壊することを簡単かつ確実に防止することができるドラム缶固定方法を提供することを課題とする。
【課題を解決するための手段】
【００１０】
本発明者等は鋭意検討の結果、長尺状の治具本体と押圧体を備えるドラム缶固定用治具を用いて押圧体をドラム缶の上面の一点に接触させて押圧するという簡単な方法によりドラム缶を充分に安定して固定できることを見出し本発明を完成させるに至った。以下、各請求項の発明について説明する。
【００１１】
請求項１に記載の発明は、
パレット上に載置される放射性廃棄物保管用のドラム缶を固定するドラム缶固定用治具であって、
一端が前記パレットに着脱自在に取り付けられる長尺状の治具本体と、
前記治具本体の他端に取り付けられて、前記ドラム缶の上面に一点で接触して前記ドラム缶を前記パレットに押圧する押圧体とを備え、
さらに、前記治具本体が前記押圧体を前記パレットの方向に牽引することにより、前記押圧体の押圧力を発生させる押圧手段を備えていることを特徴とするドラム缶固定用治具である。
【００１２】
請求項１の発明においては、長尺状の治具本体により押圧体を牽引することにより発生する押圧力によりドラム缶を固定する治具であるため、押圧力が低下し難く、ドラム缶を長期に亘って安定的に固定することができ、また、ドラム缶の上面に接触させた押圧体をパレットの方向に牽引することにより、ドラム缶をパレットに固定するため、地震等によってドラム缶が転倒、落下したり、段積みされるドラム缶が倒壊することを簡単かつ確実に防止することができる放射性廃棄物保管用ドラム缶を固定するのに最適なドラム缶固定用治具を提供できる。
【００１３】
また、長尺状の治具本体を用いているため、既に保管されているドラム缶の隙間を容易に挿通させて、パレットに取り付けることができ、既に保管されているドラム缶を積み直すことなく固定することができる。さらに、治具本体は一端が前記パレットに着脱自在に取り付け可能であるため、例えば保管するドラム缶の段数が増えた場合、必要に応じて取り付け箇所を任意の箇所に変更することができる。
【００１４】
また、押圧体をドラム缶の上面の全面に亘って接触させて押圧することなく、ドラム缶の上面に一点で接触させて押圧する構造としているため、押圧体を軽量化することができる。そして、治具本体も容易に軽量化できることと合わせて、固定用治具全体を軽量化することができるため、ドラム缶固定用治具を段積みされた、最上段のドラム缶にまで容易に持ち運ぶことができる。
【００１５】
なお、例えば押圧体を十字状にして、１個のパレット上に載置された４本のドラム缶のそれぞれに前記押圧体を接触させて押圧することにより、１個のドラム缶固定用治具で４本のドラム缶を同時に固定することができる。
【００１６】
なお、ここでいう「長尺状の治具本体」としては棒状のものや、鎖、ワイヤー等紐状のものを挙げることができる。また、治具本体および押圧体は、より長期間牽引、押圧を維持できる強度を有し、また耐火性に優れる金属製であることが好ましい。また、ここでいう「パレット」にはスキッドタイプのパレットも含まれる。
【００１７】
請求項２に記載の発明は、
前記押圧手段は、
前記治具本体の前記他端に設けられる雄ねじ部と、
前記押圧体に形成される貫通孔と、
前記貫通孔に挿通されて、前記貫通孔から突出する前記雄ねじ部に螺合されるナットとを備えていることを特徴とする請求項１に記載のドラム缶固定用治具である。
【００１８】
請求項２に記載の発明においては、押圧体をドラム缶の上面に接触させた状態で、ナットを回転させて螺合させるという簡単な操作により押圧体をパレットの方向に牽引し、ドラム缶を上から押圧できるので、ドラム缶の固定作業が容易になる。
【００１９】
請求項３に記載の発明は、
請求項１または請求項２に記載のドラム缶固定用治具を用いてパレット上に載置される放射性廃棄物保管用のドラム缶を固定するドラム缶固定方法であって、
前記治具本体の一端を前記パレットに取り付け、
前記治具本体の他端に取り付けられた押圧体を前記ドラム缶の上面に一点で接触させた後、前記パレットの方向に牽引して前記ドラム缶を前記パレットに固定することを特徴とするドラム缶固定方法である。
【００２０】
請求項３に記載の発明により、パレットに載置される放射性廃棄物保管用ドラム缶を長期に亘って安定的に押圧して固定することができる。また、ドラム缶固定用治具が軽量であるため、容易に効率良くドラム缶を固定することができる。
【００２１】
請求項４に記載の発明は、
前記パレットと、その上に載置された前記ドラム缶を段積みし、最上段の前記ドラム缶を最上段のドラム缶が載置された前記パレットに固定することを特徴とする請求項３に記載のドラム缶固定方法である。
【００２２】
請求項４に記載の発明においては、最上段のドラム缶を固定して地震による転倒、落下を防ぐと共に、段積みされたドラム缶のうち、最上段のドラム缶のみを最上段のパレットに固定するという簡単な操作で、段積みされた全てのドラム缶の転倒、落下や倒壊を防ぐことができる。
【００２３】
即ち、地震時に最もドラム缶の破損が大きい場合を検討した結果、最上段のドラム缶が地震の揺れにより落下する場合であるとの結論を得ている。本発明においては、最上段のドラム缶を直接に固定するため、最上段のドラム缶が確実に固定される。さらに、最上段以外の下段に積まれたドラム缶に対しては、上段に積まれたドラム缶およびパレットの重力が加わるため、固定しなくても転倒、落下したり倒壊することがなく、最上段のドラム缶のみを固定することにより、段積みされたドラム缶全体を地震による転倒、落下あるいは倒壊から防ぐことができる。このため、最上段のドラム缶のみを最上段のパレットに固定するという簡単な操作で、段積みされた全てのドラム缶の地震による転倒、落下や倒壊を防ぐことができる。
【００２４】
請求項５に記載の発明は、
前記パレットと、その上に載置された前記ドラム缶を段積みし、前記ドラム缶固定用治具の前記治具本体の一端を最下段の前記パレットに取り付け、前記押圧体を最上段に位置する前記ドラム缶の上面の一点に接触させて押圧することを特徴とする請求項３に記載のドラム缶固定方法である。
【００２５】
請求項５に記載の発明においては、前記ドラム缶固定用治具の押圧体を最上段に位置するドラム缶に接触させ、治具本体を最下段のパレットに取り付けて押圧することにより、最上段から最下段までのドラム缶全てをドラム缶固定用治具で固定するため、段積みされたドラム缶の転倒、落下や倒壊防止に特に有効である。また、治具本体の一端を最下段のパレットに取り付け、押圧体を最上段のドラム缶に接触させて押圧するだけであるため、既に段積みされたドラムに対しても容易に行うことができる。
【発明の効果】
【００２６】
本発明により、ドラム缶を長期に亘って安定的に固定することができ、また、既に保管されているドラム缶についても積み直すことなく容易に固定することができ、しかも、人手で運べる程度に軽量化することができるドラム缶固定用治具を提供することができる。また、地震等によってドラム缶が転倒、落下したり、段積みされたドラム缶が倒壊することを簡単かつ確実に防止することができるドラム缶固定方法を提供することができる。
【図面の簡単な説明】
【００２７】
【図１】本発明の一実施の形態に係るドラム缶固定用治具の斜視図である。
【図２】図１に示したドラム缶固定用治具を分解した一部を示す斜視図である。
【図３】図１に示したドラム缶固定用治具をパレットに取り付けた状態を示す斜視図である。
【図４】図３のＸ部分の拡大図である。
【図５】パレット上に載置されたドラム缶を図１に示したドラム缶固定用治具を用いて固定した状態を示す斜視図である。
【図６】パレット上に載置されたドラム缶を図１に示したドラム缶固定用治具を用いて固定した状態を示す平面図である。
【図７】パレット上に載置されたドラム缶を図１に示したドラム缶固定用治具を用いて固定した状態を示す正面図である。
【図８】図１に示したドラム缶固定用治具を用いてドラム缶をパレットに固定する方法を示す図である。
【図９】本発明の一実施の形態に係るドラム缶の固定方法を示す図である。
【図１０】本発明の一実施の形態に係るドラム缶の固定方法を示す図である。
【発明を実施するための形態】
【００２８】
以下、本発明を実施の形態に基づいて説明する。なお、本発明は、以下の実施の形態に限定されるものではない。本発明と同一および均等の範囲内において、以下の実施の形態に対して種々の変更を加えることが可能である。
【００２９】
１．ドラム缶固定用治具の説明
本実施の形態は、金属製の棒状の治具本体を用いたドラム缶固定用治具の例である。はじめに本発明の実施の形態に係るドラム缶固定用治具について説明する。図１は本発明の一実施の形態に係るドラム缶固定用治具の斜視図であり、図２は図１に示したドラム缶固定用治具を分解した一部を示す斜視図であり、図３は図１に示したドラム缶固定用治具をパレットに取り付けた状態を示す斜視図であり、図４は図３のＸ部分の拡大図である。
【００３０】
図１において、ドラム缶固定用治具１は、金属製の棒状の治具本体１’と、治具本体１’の一端（図では下端）に形成される金属製のフック３と、治具本体１’の他端（図では上端）に取り付けられる金属製の押圧体２と、雄ねじ４およびナット６とを備えている。
【００３１】
図１に示すように、フック３は、板材が上方に曲げられて形成され、中央部にはパレットの格子を回避するためのスリット状の溝３１が形成されている。
【００３２】
また、図２に示すように、押圧体２は平面視が十字状の４本の押えアーム２１を有し、各押えアーム２１の先端付近の下面には引掛け爪２２が突設され、押圧体２の中心部には治具本体１’が挿通可能な大きさの貫通孔５が縦方向に貫設されている。
【００３３】
本実施の形態に係るドラム缶固定用治具１の押圧手段は、押圧体２と、治具本体１’の上部に設けられて貫通孔５に挿通される雄ねじ部４と、押圧体２の貫通孔５から上方に突出する雄ねじ部４に螺合されるナット６と、フック３とで構成されている。そして、図３、図４に示すように、フック３をパレットＰの格子Ｐ１に係止させ、図１、図２に示した押圧体２の押えアーム２１をドラム缶（図示せず）の上面に当接させた状態で、ナット６を締め付けると、治具本体１’により押圧体２がパレットの方向に牽引されてドラム缶を上方から押圧する押圧力が発生してドラム缶とパレットとが密着する。なお、ドラム缶の直径が約６０ｃｍであるため、押圧体２の押えアーム２１の長さが約５０ｃｍ程度であれば、ドラム缶を固定することが可能である。
【００３４】
２．ドラム缶固定用治具を用いたドラム缶の固定
イ．ドラム缶固定用治具を用いたドラム缶の基本的な固定構造
次に、ドラム缶固定用治具を用いたドラム缶の基本的な固定構造について説明する。図５、図６及び図７は、それぞれパレット上に載置されたドラム缶Ｄを、ドラム缶固定用治具１を用いて固定された状態を示す斜視図、平面図及び正面図である。但し、図６、図７は部分図である。図５に示すように金属製の格子Ｐ１を連結して形成されるパレットＰには、４本のドラム缶ＤがパレットＰの中心の周囲に載置され、図６に示すように、４本のドラム缶Ｄの上面にＡ、Ｂの両方向に十字状に設けられた押圧体２の４本の押えアーム２１を接触させて押圧している。また、図７に示すように、治具本体１’の一端に設けられたフック３はパレットＰのＰ１に係止されており、ナット６を雄ねじ部４に螺合させることにより、これらのドラム缶Ｄは押圧体２により押圧されてパレットＰに固定される。
【００３５】
なお、図５に示すようにドラム缶Ｄの上蓋Ｄ１には突脈部Ｄ２が設けられているため、ドラム缶固定用治具１を用いて固定されたドラム缶はパレットＰに強固に固定される。
【００３６】
ロ．ドラム缶固定用治具を用いたドラム缶の基本的な固定方法
次に、ドラム缶固定用治具を用いたドラム缶の基本的な固定方法について説明する。図８は図１に示したドラム缶固定用治具を用いてドラム缶をパレットに固定する方法を示す図である。以下の操作によりドラム缶をパレットに固定する。
【００３７】
（ａ）図８に示すようにパレットＰに載置されたドラム缶Ｄの隙間にドラム缶固定用治具１を上方から挿入し、矢印ａで示すようにフック３をパレットＰの格子Ｐ１間を通過させ、次に、ドラム缶固定用治具１を矢印ｂで示すように引き上げてフック３をパレットＰの格子Ｐ１に引掛けて係止させる。
（ｂ）一方、ドラム缶固定用治具Ａの押圧体２の一本の押えアーム２１を一本のドラム缶Ｄの上面Ｄ１に位置させると共に押えアーム２１の引掛け爪２２で上面Ｄ１の突脈部Ｄ２の内側を引掛けた状態で、押圧体２で４本のドラム缶Ｄを押える。
（ｃ）次に、矢印ｃで示すようにナット６を締め付け、押圧体２により４本のドラム缶Ｄの上面Ｄ１を同時に押圧する。
【００３８】
このようにして、４本のドラム缶ＤをパレットＰにドラム缶固定用治具１により固定した状態では、ドラム缶固定用治具Ａの押圧体２とドラム缶Ｄとの接点はドラム缶Ｄ１本当たり１点となる。
【００３９】
このように、本実施の形態のドラム缶固定用治具１は、一本の押えアーム２１で一本のドラム缶Ｄの上面の一点を押圧するので、地震による複雑な揺れが与えられた場合、ドラム缶Ｄがドラム缶固定用治具１から脱離することが懸念されたが、加震装置を用いた試験により実際のドラム缶Ｄの保管状況に近い形で加震して、その耐震性を確認したところ、震度６弱相当の揺れを与えてもドラム缶Ｄがドラム缶固定用治具１から脱離しないことを確認した。
【００４０】
ドラム缶Ｄの上面Ｄ１のうち押圧する箇所としては、本実施の形態のように強度が大きい突脈部Ｄ２が好ましい。また、ドラム缶固定用治具１をパレットの周辺部に取り付ける場合にはバランスをとるため複数本のドラム缶固定用治具１を取り付ける必要がある。一方、ドラム缶固定用治具１をパレットの中心に近い位置に取り付けると一本のドラム缶固定用治具１によりドラム缶を固定することができる。このため、ドラム缶固定用治具１をより軽量化するためには、ドラム缶固定用治具１をパレットＰの中心に近い位置に取り付けることが好ましい。但し、パレットＰの中心にドラム缶Ｄが位置する等でドラム缶固定用治具Ａを取り付けることが困難な場合は、中心よりずらした位置に取り付けても問題はない。場合によっては、パレットＰの外周部にドラム缶固定用治具１を取り付けてもよい。
【００４１】
３．段積みされたドラム缶の固定方法
イ．最上段のドラム缶を最上段のパレットに固定する方法
次に、段積みされたドラム缶の固定方法について説明する。図９は本発明の一実施の形態に係るドラム缶の固定方法を示す図であり、複数段々積みされたドラム缶を固定する方法の一例を示す斜視図である。図９に示した例は、３段積み重ねられたドラム缶のうち、最上段のドラム缶のみをドラム缶固定用治具１を用いて最上段のパレットに固定する例である。
【００４２】
このように、複数段々積みされたドラム缶のうち最上段のドラム缶のみを固定することにより、下段のドラム缶も含めて、段積みされたドラム缶全体に対して地震による転倒、落下や倒壊を防ぐことができる。また、最上段のドラム缶のみ固定すればよいため、既に段積みされたドラム缶についても容易に固定することができ、また、一段用のドラム缶固定用治具１を用いて固定することができる。なお、図９のようにブロック毎に枠材Ｆを周囲に配置することが好ましい。
【００４３】
ロ．最上段のドラム缶を最下段のパレットに固定する方法
図１０は本発明の一実施の形態に係るドラム缶の固定方法を示す図であり、複数段々積みされたドラム缶を固定する方法の他の一例を示す図である。図１０に示した例では、ドラム缶固定用治具１の治具本体１’を長尺化して最上段のドラム缶の隙間から最下段のスキッドタイプのパレットＳまで挿通させ、治具本体１’のフック３をスキッドタイプのパレットＳに係止させて押圧体２を牽引して最上段のドラム缶Ｄを押圧することにより、複数段の全てのドラム缶Ｄを固定する。
【００４４】
これにより、段積みされたドラム缶の全体を簡単な操作で固定することができる。また、治具本体１’を長尺化して最上段のドラム缶の隙間から最下段のスキッドタイプのパレットＳまで挿通させるため、既に段積みされたドラム缶についても容易に固定することができる。
【００４５】
上記実施の形態では、棒状の治具本体を用いたドラム缶固定用治具を例に採って本発明を説明したが、棒状の治具本体に替えて、例えばステンレス等の金属製の鎖やワイヤー等の紐状の治具本体を用いた場合にも棒状の治具本体を用いた場合と同様の効果を発揮することができる。
【符号の説明】
【００４６】
１        ドラム缶固定用治具
１’      治具本体
２        押圧体
３        フック
４        雄ねじ部
５        貫通孔
６        ナット
２１      押えアーム
２２      引掛け爪
３１      フックの溝
Ｄ        ドラム缶
Ｄ１      上蓋
Ｄ２      突脈部
Ｆ        枠材
Ｐ        パレット
Ｐ１      格子
Ｓ        スキッドタイプのパレット
【図１】
2010276577.tif 000003
【図２】
2010276577.tif 000004
【図３】
2010276577.tif 000005
【図４】
2010276577.tif 000006
【図５】
2010276577.tif 000007
【図６】
2010276577.tif 000008
【図７】
2010276577.tif 000009
【図８】
2010276577.tif 000010
【図９】
2010276577.tif 000011
【図１０】
2010276577.tif 000012